(57)【要約】【課題】バルコニーユニットに作用する応力を分散する。【解決手段】建物（１）のテラス（１０）上に円弧上に配置され、下端を固定された複数の支持柱（支持柱２１ａ〜２１ｇ）と、複数の支持柱の上端を接続する環状の上側枠（６１）と、複数の支持柱の高さ方向の中央部分を接続する環状の下側枠（４０）と、下側枠により支持されるデッキ床（３０）と、を備えることを特徴とするバルコニーユニット（２０）である。支持柱と、上側枠と、下側枠と、デッキ床とからなるバルコニーなので、風通しや日当たりを良好とすることができる。また、上側枠や下側枠が環状であるので、上側枠や下側枠に作用する応力を円周に沿って分散させることができる。また、デッキ床を支持柱と下側枠とにより支持するため、建物の壁にデッキ床を支持する耐力を要求せず、後施工や移設が可能となる。【選択図】図１
2006299732.tif 000002
【特許請求の範囲】
【請求項１】
建物のテラス上に円弧上に配置され、下端を固定された複数の支持柱と、
前記複数の支持柱の上端を接続する環状の上側枠と、
前記複数の支持柱の高さ方向の中央部分を接続する環状の下側枠と、
前記下側枠により支持されるデッキ床と、
を備えることを特徴とするバルコニーユニット。
【請求項２】
前記デッキ床は建物の２階床と接続されていることを特徴とする請求項１に記載のバルコニーユニット。
【請求項３】
前記複数の支持柱には前記上側枠と前記下側枠との間に円弧状の手摺部材が設けられていることを特徴とする請求項１または２に記載のバルコニーユニット。
【請求項４】
１階に設けられた略円形のテラスと、
前記テラス上の外周部に配置され、下端を固定された複数の支持柱と、
前記複数の支持柱の上端を接続する環状の上側枠と、
前記複数の支持柱の高さ方向の中央部分を接続する環状の下側枠と、
前記下側枠により支持されるデッキ床と、
を備えることを特徴とする建物。
【請求項５】
前記デッキ床は建物の２階床と接続されていることを特徴とする請求項４に記載の建物。
【発明の詳細な説明】
【技術分野】
【０００１】
本発明は、バルコニーユニット、及びバルコニーユニットを有する建物に関する。
【背景技術】
【０００２】
従来、１階以上の階にバルコニーを設けたものが知られている。バルコニーは、設置される階の床とほぼ等しい高さに設けられたデッキ床と、デッキ床を囲むように設けられた手摺壁とから構成される（例えば、特許文献１参照）。
【特許文献１】特開２００２−０４７７２２号公報
【発明の開示】
【発明が解決しようとする課題】
【０００３】
しかし、上記のようなバルコニーでは、手摺壁があるために風通しが悪く、また、日照が遮られるという問題があった。
【０００４】
本発明の課題は、バルコニーの風通しや日当たりが良好とすることである。
【課題を解決するための手段】
【０００５】
以上の課題を解決するため、請求項１に記載の発明は、図１〜７に示すように、建物（１）のテラス（１０）上に円弧上に配置され、下端を固定された複数の支持柱（支持柱２１ａ〜２１ｇ）と、前記複数の支持柱の上端を接続する環状の上側枠（６１）と、前記複数の支持柱の高さ方向の中央部分を接続する環状の下側枠（４０）と、前記下側枠により支持されるデッキ床（３０）と、を備えることを特徴とするバルコニーユニット（２０）である。
【０００６】
請求項１に記載の発明によれば、バルコニーユニットが、支持柱と、上側枠と、下側枠と、デッキ床とからなるので、風通しや日当たりを良好とすることができる。また、上側枠や下側枠が環状であるので、上側枠や下側枠に作用する応力を円周に沿って分散させることができる。また、デッキ床を支持柱と下側枠とにより支持するため、建物の壁にデッキ床を支持する耐力を要求せず、後施工や移設が可能となる。
【０００７】
請求項２に記載の発明は、請求項１に記載のバルコニーユニットにおいて、前記デッキ床は建物の２階床と接続されていることを特徴とする。
【０００８】
請求項２に記載の発明によれば、デッキ床が建物の２階床と接続されているので、建物の２階からデッキ床の上に出入りすることができる。
【０００９】
請求項３に記載の発明は、請求項１または２に記載のバルコニーユニットにおいて、前記複数の支持柱には前記上側枠と前記下側枠との間に円弧状の手摺部材（５０）が設けられていることを特徴とする。
【００１０】
請求項３に記載の発明によれば、上側枠と下側枠との間に手摺部材が設けられているので、デッキ床の上から人や物が落下することを防止することができる。また、手摺部材が円弧状であるので、手摺部材に作用する応力を円周に沿って分散させることができる。
【００１１】
請求項４に記載の発明は、１階に設けられた略円形のテラスと、前記テラス上の外周部に配置され、下端を固定された複数の支持柱と、前記複数の支持柱の上端を接続する環状の上側枠と、前記複数の支持柱の高さ方向の中央部分を接続する環状の下側枠と、前記下側枠により支持されるデッキ床と、を備えることを特徴とする建物（１）である。
【００１２】
請求項４に記載の発明によれば、支持柱と、上側枠と、下側枠と、デッキ床とからなるバルコニーなので、風通しや日当たりを良好とすることができる。また、上側枠や下側枠が環状であるので、上側枠や下側枠に作用する応力を円周に沿って分散させることができる。また、略円形のテラス上に環状の下側枠を有するデッキ床が設けられているので、デッキ床をテラスの形状に合致した屋根とすることができる。
【００１３】
請求項５に記載の発明は、請求項４に記載の建物において、前記デッキ床は建物の２階床と接続されていることを特徴とする。
【００１４】
請求項５に記載の発明によれば、デッキ床が建物の２階床と接続されているので、建物の２階からデッキ床の上に出入りすることができる。
【発明の効果】
【００１５】
本発明によれば、支持柱と、上側枠と、下側枠と、デッキ床とからなるバルコニーなので、風通しや日当たりを良好とすることができる。また、パーゴラやデッキ床が環状の上側枠や下側枠を有しているので、上側枠や下側枠に作用する応力を円周に沿って分散させることができ、バルコニーユニットの施工を容易にすることができる。
【発明を実施するための最良の形態】
【００１６】
以下、本発明の実施の形態について詳細に説明する。図１は本発明に係るバルコニーユニット２０が設けられた建物１を南側から見た立面図である。なお、この建物は、枠材に面材を貼り付けて形成され、必要に応じて図示しない桟材で補強された木質パネル（壁パネル、屋根パネル等）を組み合わせて建物躯体を形成するパネル工法によって建設されている。
【００１７】
この建物１は、２階建てであり、南側の壁２に開口部（窓３，５及び出入り口４，６）が設けられている。１階には、窓３と、窓３と隣接して出入り口４が設けられており、この出入り口４の外側にテラス１０が設けられている。また、２階には、窓５が１階の窓３の上方に設けられ、出入り口６が窓５と隣接して１階の出入り口４の上方に設けられており、この出入り口６の外側にバルコニーユニットのデッキ床３０が設けられている。窓３，５には引き違いサッシが取り付けられている。
【００１８】
出入り口４には、テラス１０側に開く両開きドアが取り付けられている。また、出入り口６には、デッキ床３０側に開く両開きドアが取り付けられている。出入り口４，６に両開きドアを用いることで、テラス１０やデッキ床３０を利用するときに両開きドアを全開にして開放的な空間にすることができる。
【００１９】
テラス１０は、図３に示すように、円形部１０ａと、通路部１０ｂとからなる。通路部１０ｂは出入り口４の開口幅にほぼ等しい幅に形成されており、円形部１０ａと出入り口４とを接続する。この円形部１０ａにバルコニーユニット２０が取り付けられている。
【００２０】
テラス１０の高さは、１階床の床面の高さにほぼ等しく、出入り口４を通じで建物の１階からテラス１０の上に出入りすることができる。また、出入り口４の下側端部の高さが１階床やテラス１０の床面の高さにほぼ等しいので、車椅子を用いてテラス１０の上に出入りすることができる。さらに、テラス１０の円形部１０ａは車椅子で回転するのに充分な広さを有する。このため、車椅子で出入り口４からテラス１０の上に出て、テラス１０の円形部１０ａで回転して方向転換し、出入り口４から建物１内に入ることができる。
【００２１】
バルコニーユニット２０は、７本の支持柱２１ａ〜２１ｇと、デッキ床３０と、下側枠４０と、手摺部材５０と、上側枠６１等とから構成される。バルコニーユニット２０には壁材が用いられていないため、窓３，５や出入り口４，６に差し込む日光を遮ることがない。
【００２２】
７本の支持柱２１ａ〜２１ｇは、円形部１０ａの外周に沿って等間隔に配置される。ただし、テラス１０の円形部１０ａと通路部１０ｂとが接続される境界位置に設けられた２本の支持柱２１ａ，２１ｇは、通路部１０ｂの幅に等しい間隔となるように配置されている。
【００２３】
支持柱２１ａ〜２１ｇは鋼管であり、下端にベースプレート２２が設けられている。ベースプレート２２にはアンカー１２が挿通されるアンカー孔２３が設けられている。図２に示すように、アンカー孔２３に挿通されたアンカー１２がテラス１０の基礎コンクリート１１に打ち込まれることにより、支持柱２１がテラス１０上に鉛直に固定される。なお、アンカー１２の上端及びベースプレート２２は基礎コンクリート１１上に打設される仕上げモルタル１３により埋設される。
【００２４】
デッキ床３０は、壁側枠３１と、下側枠４０と、通路用枠４４とにより囲まれ、木製根太４５と、デッキ材４６とから構成されている。
壁側枠３１はＣ型鋼であり、出入り口６の下部の壁２にボルト３４、ナット３５及び座金３６を用いて取り付けられている。壁側枠３１の両端には、通路用枠４４の端部が取り付けられるブラケット３２が設けられている。また、壁側枠３１の長さ方向に間隔を空けて、木製根太４５の端部を支持する３つのアングルピース３３が取り付けられている。
【００２５】
下側枠４０は環状に形成されたＣ型鋼であり、図４〜６に示すように、７本の支持柱２１ａ〜２１ｇに囲まれた内側に配置され、建物１の２階の床面とほぼ同じ高さに配置された状態で支持柱２１に溶接されている。なお、下側枠４０の２本の支持柱２１Ａ，Ｇの間部分には、後述するように木製根太４５やデッキ床３０を配置するために上側半分を切除された切り欠き４１が設けられている。この切り欠き４１の両端には、通路用枠４４の一端が取り付けられている。
【００２６】
下側枠４０の内部には、図４に示すように、鋼製根太４２が等間隔かつ建物１の南側の壁面と平行に設けられている。また、下側枠４０の内周面には、木製根太４５の端部を支持するアングルピース４３が取り付けられている。図５に示すように、アングルピース４３はアングルピース３３とともに木製根太４５の両端部を支持する。なお、アングルピース３３，４３は、木製根太４５が図５に示すように、等間隔に配置されるように設けられている。
【００２７】
通路用枠４４はＣ型鋼であり、壁側枠３１のブラケット３２に一端を取り付けられ、他端を下側枠４０の切り欠き４１の両端に取り付けられ、建物１の南側の壁面と垂直に配置されている。
【００２８】
木製根太４５は、図５に示すように、アングルピース３３，４３に両端を固定される。デッキ材４６は図６に示すように、木製根太４５に直交するように木製根太４５上に配置され、図示しない釘または木ネジ等により木製根太４５に取り付けられている。
【００２９】
このように形成されたデッキ床３０の床面の高さは、２階床の床面の高さにほぼ等しく、出入り口６を通じで建物の２階からデッキ床３０の上に出入りすることができる。また、出入り口６の下側端部の高さが２階床やデッキ床３０の床面の高さにほぼ等しいので、車椅子を用いてデッキ床３０の上に出入りすることができる。さらに、デッキ床３０の支持柱２１ａ〜２１ｇに囲まれた円形部分は車椅子で回転するのに充分な広さを有する。このため、車椅子で出入り口６からデッキ床３０の上に出て、デッキ床３０の上で回転して方向転換し、出入り口６から建物１内に入ることができる。
【００３０】
下側枠４０の切り欠き４１部分を除く外周部および通路用枠４４の上方には、図１，２に示すように、デッキ床３０の上面から間隔を空けて手摺部材５０が支持柱２１に取り付けられている。手摺部材５０はデッキ床３０の上から人や物が落下することを防止する。手摺部材５０としては、例えば円弧上に形成した鋼材を用いることができるが、ポリカーボネイトやガラス等その他の材料を用いてもよい。なお、手摺部材５０は高さ方向に間隔を空けて複数設けられていてもよい。
【００３１】
上側枠６１は環状であり、７本の支持柱２１ａ〜２１ｇの上端に溶接されている。上側枠６１の内部には、図７に示すように、パーゴラ梁６２が等間隔に設けられている。なお、図７ではパーゴラ梁６２は建物１の南側の壁面と平行に設けられているが、その方向は任意であり、例えば建物１の南側の壁面と垂直に設けられていてもよい。
上側枠６１と、パーゴラ梁６２と、支持柱２１ａ〜２１ｇとにより、パーゴラ６０が構成されている。パーゴラ６０には、必要に応じて日除け用のスクリーンを着脱することができる。
【００３２】
本発明に係るバルコニーユニット２０は、以上の構成のみからなるので、風通しや日当たりを良好とすることができる。また、下側枠４０及び上側枠６１が環状に形成されているため、風などにより外力を受けても、応力が集中する角部がないため、応力が下側枠４０または上側枠６１の外周に沿って分散する。したがって、支持柱２１との接合部に応力が集中しないため、接合部を簡易な構造にして施工の手数を減らし、コストを削減することができる。
【００３３】
また、デッキ床３０を支持柱２１ａ〜２１ｇと下側枠４０とにより支持するため、建物１の壁２にデッキ床３０を支持する耐力を要求しない。このため、建物１の建築時に、壁２の耐力にデッキ床３０を支持させるほどの余裕を持たせなかった場合でも、後施工が可能となる。さらに、設置後も建物１の任意の場所に移設することが可能である。
【００３４】
以上の実施の形態においては、建物の２階の出入り口からデッキ床３０の上に出入り可能としたが、例えば支持柱２１ａ〜２１ｇに囲まれた部分にテラス１０からデッキ床３０に上がる螺旋階段を設けてもよいし、あるいは、支持柱２１ａ〜２１ｇよりも外側に螺旋階段を設けてもよい。その他、具体的な細部構造等についても適宜に変更可能であることはもちろんである。
【図面の簡単な説明】
【００３５】
【図１】本発明に係るバルコニーユニット２０が設けられた建物１を南側から見た立面図である。
【図２】図１のII−II矢視断面図である。
【図３】図２のIII−III矢視図である。
【図４】図２のIV−IV矢視図である。
【図５】図２のV−V矢視図である。
【図６】図２のVI−VI矢視図である。
【図７】図２のVI−VI矢視図である。
【符号の説明】
【００３６】
１     建物
１０   テラス
２０   バルコニーユニット
２１ａ〜２１ｇ       支持柱
３０   デッキ床
４０   下側枠
６０   パーゴラ
６１   上側枠
【図１】
2006299732.tif 000003
【図２】
2006299732.tif 000004
【図３】
2006299732.tif 000005
【図４】
2006299732.tif 000006
【図５】
2006299732.tif 000007
【図６】
2006299732.tif 000008
【図７】
2006299732.tif 000009